(57)【要約】【課題】小型化、簡易化できる地盤調査用ロッドの地盤からの自動引抜き装置を提供する。【解決手段】本発明に係る地盤調査用ロッドの地盤からの自動引抜き装置１０は、基台１３と、基台１３に回転自在に設けられた駆動ギヤ１８と、駆動ギヤ１８を正転方向および逆転方向に回転可能な駆動モータ１２と、駆動ギヤ１８に対して相対的に接離可能に設けられ、接近した際に駆動ギヤ１８との間で地盤調査用のロッド２０３を挟圧可能な従動ギヤ２２とを含むことを特徴とする。【選択図】図１
2013129960.tif 000002
【特許請求の範囲】
【請求項１】
基台と、
該基台に回転自在に設けられた駆動ギヤと、
該駆動ギヤを正転方向および逆転方向に回転可能な駆動モータと、
前記駆動ギヤに対して相対的に接離可能に設けられ、接近した際に駆動ギヤとの間で地盤調査用のロッドを挟圧可能な従動ギヤとを含むことを特徴とする地盤調査用ロッドの地盤からの自動引抜き装置。
【請求項２】
前記従動ギヤが、前記駆動ギヤに対して接離可能に設けられ、前記従動ギヤが前記駆動ギヤに接近した位置で前記従動ギヤの移動をロックするロック機構を有することを特徴とする請求項１記載の地盤調査用ロッドの地盤からの自動引抜き装置。
【請求項３】
前記従動ギヤが、前記基台に回動軸を中心に回動自在に設けられた回動アーム上に取り付けられ、該回動アームが回動することにより、前記駆動ギヤに対して接離し、前記ロック機構は、前記回動軸を押圧して回動をロックする偏心カム面を有するテコ機構からなることを特徴とする請求項２記載の地盤調査用ロッドの地盤からの自動引抜き装置。
【請求項４】
前記ロッドの移動をガイドするガイド部材を具備することを特徴とする請求項１〜３いずれか１項記載の地盤調査用ロッドの地盤からの自動引抜き装置。
【請求項５】
スウェーデン式サウンディング試験で、地盤に貫入したロッドを、請求項１〜４いずれか１項記載の地盤調査用ロッドの地盤からの自動引抜き装置を用いて地盤から引き抜くことを特徴とする地盤調査方法。
【請求項６】
前記ロッドを地盤から引き抜いて後、他の地盤調査用のロッドを、前記自動引抜き装置をそのまま用いて、前記駆動ギヤを逆方向に回転することによって、前記ロッドを引き抜いた孔に貫入して、他の地盤調査を行うことを特徴とする請求項５記載の地盤調査方法。
【発明の詳細な説明】
【技術分野】
【０００１】
本発明は地盤調査用ロッドの地盤からの自動引抜き装置およびこれを用いる地盤調査方法に関する。
【背景技術】
【０００２】
地盤調査方法の一例として、ＪＩＳ規格で定められたスウェーデン式サウンディング試験による方法が挙げられる。その試験方法は、図４に示すように、下端に掘進スクリュー部材（スクリューポイント）１０１が装着された鉄製またはステンレス鋼製の中実のロッド１０３を地盤Ｇに突き立て、当該ロッド１０３の上部にクランプ１０２およびハンドル１０５を取り付ける。次いで、クランプ１０２上に複数枚の円盤状の錘１０４を順次載せて、ロッド１０３の沈み込みを観察して記録する。このとき、所定荷重となる全ての錘１０４を載せた段階でロッド１０３の沈み込みがない場合には、ハンドル１０５による回転で掘進させて、当該ロッド１０３が２５ｃｍ沈み込むのに要した回転回数を記録する。なお、ロッド１０３は最長で１ｍであるため、図４に示すように、複数の継ぎ足しロッド１０３ａを継ぎ足して、所定深度（通常は１０ｍ）まで掘進させる。
このように、スクリューポイント１０１を地盤Ｇに貫入させ、ロッド１０３の回転数と貫入長から地盤の強度を推定するようにしている。
【０００３】
ところで、ハンドル１０５の回転は人力によっていたが、地中１０ｍにまで貫入するのは、スクリューポイント１０１への摩擦力が増大することから極めて大変である。また、ロッド１０３の引き抜きには、大きなテコ装置などを用いて人力によって行っていたが、これまた多大な労力を要するという課題があった。
そこで、特許文献１に示すような、ロッドの貫入および引き抜きを機械装置により自動的に行える装置が開発されている。
【先行技術文献】
【特許文献】
【０００４】
【特許文献１】特開２０００−３５２０４３号公報
【発明の概要】
【発明が解決しようとする課題】
【０００５】
特許文献１に示される装置は、スウェーデン式サウンディング試験装置の上方に、組立分解が自在に行える支柱枠を形成し、この支柱枠に、ロッドを軸線を中心に回転させて、地盤に掘進させることのできる減速モータと、試験終了後に、ロッドを引き抜くウインチ装置を設けたものである。
この特許文献１に示される装置は、ロッドの自動貫入および引き抜きができる点で労力が軽減される。
しかしながら、装置が大型化、複雑化するという課題がある。また、ロッドの貫入機構と引抜き機構が一体化され、これらが常にスウェーデン式サウンディング試験装置と共に用いられ、他に転用できないという課題がある。
【０００６】
本発明は上記課題を解決すべくなされたものであり、その目的とするところは、小型化、簡易化でき、またスウェーデン式サウンディング試験装置とは切り離して用いることができ、他の試験方法に転用できる地盤調査用ロッドの地盤からの自動引抜き装置と、これを用いる地盤調査方法を提供することにある。
【課題を解決するための手段】
【０００７】
上記の目的を達成するため、本発明は次の構成を備える。
すなわち、本発明に係る地盤調査用ロッドの地盤からの自動引抜き装置は、基台と、該基台に回転自在に設けられた駆動ギヤと、該駆動ギヤを正転方向および逆転方向に回転可能な駆動モータと、前記駆動ギヤに対して相対的に接離可能に設けられ、接近した際に駆動ギヤとの間で地盤調査用のロッドを挟圧可能な従動ギヤとを含むことを特徴とする。
【０００８】
前記従動ギヤが、前記駆動ギヤに対して接離可能に設けられ、前記従動ギヤが前記駆動ギヤに接近した位置で前記従動ギヤの移動をロックするロック機構を設けるようにすることができる。
前記従動ギヤが、前記基台に回動軸を中心に回動自在に設けられた回動アーム上に取り付けられ、該回動アームが回動することにより、前記駆動ギヤに対して接離するように構成し、前記ロック機構は、前記回動軸を押圧して回動をロックする偏心カム面を有するテコ機構に構成することができる。
前記ロッドの移動をガイドするガイド部材を設けると好適である。
【０００９】
本発明に係る地盤調査方法は、スウェーデン式サウンディング試験で、地盤に貫入したロッドを、上記いずれかの地盤調査用ロッドの地盤からの自動引抜き装置を用いて地盤から引き抜くことを特徴とする。
また、この場合に、前記ロッドを地盤から引き抜いて後、他の地盤調査用のロッドを、前記自動引抜き装置をそのまま用いて、前記駆動ギヤを逆方向に回転することによって、前記ロッドを引き抜いた孔に貫入して、他の地盤調査を行うようにすることができる。
【発明の効果】
【００１０】
本発明によれば、小型化、簡易化でき、またスウェーデン式サウンディング試験装置とは切り離して用いることができ、他の試験方法に転用できる地盤調査用ロッドの地盤からの自動引抜き装置と、これを用いる地盤調査方法を提供することにある。
【図面の簡単な説明】
【００１１】
【図１】地盤調査用ロッドの地盤からの自動引抜き装置の正面図である。
【図２】図１に示す自動引抜き装置の平面図である。
【図３】図１に示す自動引抜き装置の側面図である。
【図４】スウェーデン式サウンディング試験による試験方法を説明するための説明図である。
【発明を実施するための形態】
【００１２】
以下本発明の実施の形態を添付図面に基づき詳細に説明する。
図１は地盤調査用ロッドの地盤からの自動引抜き装置（以下、単に引抜き装置ということがある）１０の正面図、図２はその平面図、図３はその側面図である。
１２は駆動モータであり、基台１３に立設した支持板（基台の一部）１４の裏面側にボルト１５によって固定されている。支持板１４の正面側には、駆動モータ１２の回転軸１６に減速機１７を介して駆動ギヤ１８が固定されている。駆動モータ１２は、正逆モータであり、駆動ギヤ１８を正転方向および逆転方向に回転可能となっている。１９は、駆動モータ１２の制御部である。
【００１３】
２０は回動アームであり、支持板１４に固定された回動軸２１を中心に、先端側が駆動ギヤ１８に対して接離する方向にベアリングを介して回動自在に設けられている。この回動アーム２０の先端側に、従動ギヤ２２が、ベアリングを介して軸２３を中心として回転自在に設けられている。これにより、従動ギヤ２２は、回動アーム２０と共に駆動ギヤ１８に対して接離する方向に回動自在に設けられ、駆動ギヤ１８に接近した際に、スウェーデン式サウンディング試験時に地盤Ｇに貫入されたロッド２０３を駆動ギヤ１８との間で挟圧可能となっている。
【００１４】
なお、回動アーム２０は、コイルスプリング２５によって引っ張られることによって、常時は、駆動ギヤ１８から離れる方向に付勢されており、その端部の当接面２０ａにおいて、ロック機構２６の偏心カム２７のカム面２７ａに当接している。
偏心カム２７は、支持板１４に固定して設けられた支持軸３０にベアリングを介して回転可能に設けられている。偏心カム２７のカム面２７ａは、支持軸３０に対して偏心して設けられている。
【００１５】
また、偏心カム２７にはハンドル３１が取り付けられている。回動アーム２０の当接面２０ａがカム面２７ａに当接し、コイルスプリング２５によって回動アーム２０が図１上時針回転方向に回動すると、偏心カム２７は軸３０を中心として図１上反時針回転方向に回動し、ハンドル３１がストッパー３２に当接し（図１における破線位置）、常時はこの位置で静止している。
【００１６】
一方、ハンドル３１を、図１の破線位置から実線位置の方向（時針回転方向）に回動すると、偏心カム２７が同方向に回転され、カム面２７ａによってコイルスプリング２５の付勢力に抗して回動アーム２０を駆動ギヤ１８に接近する方向に押圧し、駆動ギヤ１８と従動ギヤ２２との間でロッド２０３を挟圧する。この位置でハンドル３１はストッパー３３に当接し、回動アーム２０、したがって従動ギヤ２２はロックされ、上記の常時静止位置の方向には戻らない。
【００１７】
すなわち、偏心カム２７がある位置（従動ギヤ２２への最大押圧位置）以上に回転すると、回動アーム２０の当接面２０ａからの偏心カム２７のカム面２７ａへの押圧力の方向が、偏心カム２７をさらに同方向に回転させるように作用し、その位置で、ハンドル３１がストッパー３２に当接し、ロックされることとなる。
上記ロック位置において、回動アーム２０の軸線の方向（回動軸２１と回転軸２３を結ぶ線の方向）が、若干駆動ギヤ１８方向に傾くようにすると好ましい。
なお、上記ロック機構２６は上記実施の形態のものに限られず、種々の機構を採用しうることはもちろんである。
図１、図２に示すように、支持板１４の上部および下部部分に、ロッド２０３を駆動ギヤ１８と従動ギヤ２２との間に案内する導入部材３５、３５が設けられている。
【００１８】
また、図１に示すように、支持板１４面に、駆動ギヤ１８および従動ギヤ２２間に導入されたロッド２０３が、駆動ギヤ１８および従動ギヤ２２の間に正確に位置するようロッド２０３の背面側に当接して位置決めするボルト３７が設けられている。このボルト３７は、ロッド２０３の太さのばらつきに対応できるように、支持板１４からの突出長さを調節できるようになっている。
また、基台１３の適所に、駆動ギヤ１８および従動ギヤ２２の間にロッド２０３が導入された際、ロッド２０３の正面側に当接して位置決めする位置決め部材３８が設けられる。この位置決め部材３８は、ロッド２０３が駆動ギヤ１８と従動ギヤ２２との間に導入された後に、適宜ボルト等によって基台１３に固定するようにする。
【００１９】
本実施の形態の引抜き装置１０は上記のように構成されている。
引抜き装置１０は、主として、スウェーデン式サウンディング試験、その他の地盤調査で地盤Ｇに貫入されたロッド２０３を引抜くために用いられる。特に、スウェーデン式サウンディング試験の場合、ロッド２０３は、１０ｍもの深さで地盤Ｇ中に貫入されるので、その引抜きが厄介であることは前記したとおりであるが、本実施の形態の引抜き装置１０を用いれば、容易に引抜きが可能となる。
【００２０】
以下、スウェーデン式サウンディング試験を例として説明する。
スウェーデン式サウンディング試験は、図４に示すように常法通りに行う。この場合、ロッド２０３を自動貫入できる公知の専用装置（図示せず）を用いることができる。この専用装置は、ロッドの引抜装置を必要としないので、簡易な構造のものとすることができる。
【００２１】
スウェーデン式サウンディング試験終了後、スウェーデン式サウンディング試験機や上記専用装置を取り外し、次のスウェーデン式サウンディング試験に用いることができる。戸建住宅の場合、５箇所程度、地盤調査をする必要がある。本実施の形態の場合、取り外したスウェーデン式サウンディング試験機や上記専用装置を用いて、次のスウェーデン式サウンディング試験を連続して行うことができる。
【００２２】
スウェーデン式サウンディング試験が終了した箇所にはロッド２０３が残される。このロッド２０３を引抜くために本実施の形態に係る引抜き装置１０を用いる。
まず、この引抜き装置１０を、ロッド２０３を引き抜ける位置にセットする。すなわち、導入部材３５、３５によって案内しつつ、ロッド２０３が駆動ギヤ１８と従動ギヤ２２との間に位置するようにセットすることになる。この場合、ロッド２０３の背面がボルト３７に当接し、また、ロッド２０３の側面が駆動ギヤ１８のギヤ面に当接するように引抜き装置１０を配置する。なお、ロッド２０３の高さが足りないときは、継ぎ足しロッドを継ぎ足して、ロッド２０３の上端部が駆動ギヤ１８と従動ギヤ２２との間に位置するようにする。
【００２３】
次いで、前記したように、ハンドル３１を図１の破線位置から実線位置まで回動し、従動ギヤ２２を駆動ギヤ１８方向に回動させ、ロッド２０３を駆動ギヤ１８と従動ギヤ２２とで挟圧する。上記のように、テコの作用により従動ギヤ２２を押圧することによって、駆動ギヤ１８と従動ギヤ２２のギヤがロッド２０３の側面に食い込む。
【００２４】
この状態で、位置決め部材３８を基台１３上に固定して、ロッド２０３の正面側を位置決めするとよい。なお、位置決め部材３８のセットは、ロッド２０３を駆動ギヤ１８と従動ギヤ２２とで挟圧する前に行ってもよい。
次いで、ロッド２０３の引抜き時、引抜き装置１０が浮き上がったりしないように、引抜き装置１０を適宜固定具（図示せず）によって地盤Ｇに固定する。
【００２５】
次に、制御部１９により、駆動モータ１２を駆動し、駆動ギヤ１８を図１上、反時針回転方向に回転する。すると、駆動ギヤ１８および従動ギヤ２２のギヤがロッド２０３の側面に食い込みつつ回転することから、ロッド２０３が上方に引き抜かれることになる。ボルト３７や位置決め部材３８がロッド２０３の移動（上昇）のガイド部材として機能する。本実施の形態の場合、ロッド２０３を約１０秒で１ｍずつ引抜くことが可能であった。適宜長さずつロッド２０３を引き上げ、継ぎ足しロッドを取り外しつつ、全部のロッド２０３を引き上げるようにする。
【００２６】
引抜き装置１０は、ロッド２０３の引抜き専用に用いてもよいが、ロッド２０３を引き抜いたロッド引抜き穴を利用して、他の地盤調査を引き続き行うようにすることができる。
他の地盤調査は、例えば、地下水位の測定調査や、地盤試料の採取調査を挙げることができる。
【００２７】
地下水位の測定調査として、例えば特開２０１０−１４５２６３に示す地下水位測定方法に、本実施の形態の引抜き装置１０を用いることができる。この地下水位の測定方法の場合、側面に孔の明いた中空ロッドを地盤の所定深さまで貫入させた後、電気抵抗の変化を検出する機能を備える計測器に接続した計測用絶縁ケーブルを中空ロッドに挿入し、絶縁ケーブルの先端側の電極部が中空ロッド内に侵入した地下水の水面に達した際の電極間の電気抵抗の変化を検出し、この検出時の絶縁ケーブルの挿入長さから地下水位を測定する（請求項１）ものである。
【００２８】
上記地下水位測定用の中空ロッドを、上記ロッド２０３を引き抜いたロッド引抜き穴に、本実施の形態の引抜き装置１０を用いて、貫入および引抜きを行うことができる。すなわち、中空ロッドを貫入する場合には、上記と同様に、中空ロッドを駆動ギヤ１８と従動ギヤ２２とで挟圧し、駆動ギヤ１８を上記とは逆の時針回転方向に回転させることによって、ギヤを中空ロッドの外壁に食い込ませつつ、引抜き穴に貫入させることができる。適宜長さの継ぎ足し用の中空ロッドを継ぎ足しながら行うことによって、全中空ロッドを地盤Ｇ中に貫入できる。
【００２９】
ロッド引抜き穴を利用して、そのまま中空ロッドを引抜き穴に貫入する場合には、引抜き穴内に多少とも土砂が流入していることが考えられ、引抜く場合よりも大きな抵抗が加わる。この場合、前記のように、ロック位置において、回動アーム２０の軸線の方向（回動軸２１と回転軸２３を結ぶ線の方向）が、若干駆動ギヤ１８方向に傾くように設定すると、中空ロッドの貫入時、ギヤが中空ロッド外壁により食い込みやすくなるので、多少抵抗が大きくてもスムーズに中空ロッドの貫入が可能である。
中空ロッドの引抜きは上記ロッド２０３の引抜きと全く同様にして行うことができる。
【００３０】
地盤試料の採取調査の場合には、例えば、特開２０１１−２２６１５７に示される地盤試料の採取方法に、本実施の形態に係る引抜き装置１０を用いることができる。
この地盤試料の採取方法の場合、側壁に形成した窓開口部に開閉自在な蓋体を設けた採取ロッドを用いるものであり、この採取ロッドを地盤の所要深さに貫入し、蓋体を少し開けた状態で採取ロッドを軸線を中心として回転させることで、蓋体によって地盤試料をかき取り、収容部に収容して採取するようになっている。
【００３１】
上記採取ロッドを、上記中空ロッドの場合と同様にして、引抜き装置１０を用いて、ロッド２０３を引き抜いた引抜き穴に貫入して、地盤試料を採取することができる。なお、この場合、採取ロッドを軸線を中心として１回転程度回転させる必要がある。この採取ロッドの回転は、パイプレンチ等の工具を用いて手動で行うことができる。採取ロッドは、あらかじめ形成された引抜き穴に貫入された状態であるので、パイプレンチ等の工具によって比較的容易に回転させることができる。採取ロッドの引抜きは、上記と同様にして行うことができる。
【００３２】
引抜き装置１０において、上記実施の形態では、駆動ギヤ１８側を固定し、従動ギヤ２２側を駆動ギヤ１８に対して接離動するように構成したが、駆動ギヤ１８側を従動ギヤ２２に対して接離動させるようにしてもよい。あるいは場合によっては、駆動ギヤ１８、従動ギヤ２２の双方を互いに接離動させる機構としてもよい。
【符号の説明】
【００３３】
１０  引抜き装置
１２  駆動モータ
１３  基台
１４  支持板
１５  ボルト
１６  回転軸
１７  減速機
１８  駆動ギヤ
１９  制御部
２０  回動アーム
２０ａ  当接面
２１  回動軸
２２  従動ギヤ
２３  軸
２５  コイルスプリング
２６  ロック機構
２７  偏心カム
２７ａ  カム面
３０  支持軸
３１  ハンドル
３２、３３  ストッパー
３５  導入部材
３７  ボルト
３８  位置決め部材
２０３  ロッド
【図１】
2013129960.tif 000003
【図２】
2013129960.tif 000004
【図３】
2013129960.tif 000005
【図４】
2013129960.tif 000006
【手続補正書】
【提出日】平成24年3月23日(2012.3.23)
【手続補正１】
【補正対象書類名】特許請求の範囲
【補正対象項目名】全文
【補正方法】変更
【補正の内容】
【特許請求の範囲】
【請求項１】
基台と、
該基台に回転自在に設けられた駆動ギヤと、
該駆動ギヤを正転方向および逆転方向に回転可能な駆動モータと、
前記駆動ギヤに対して接離可能に設けられ、接近した際に駆動ギヤとの間で、地盤調査に用いられ地盤に貫入されたロッドを挟圧し、前記ロッド外壁に食い込んで前記ロッドを地盤から引抜き可能な従動ギヤとを具備する地盤調査用ロッドの地盤からの自動引抜き・貫入装置であって、
前記従動ギヤが、前記基台に回動軸を中心に回動自在に設けられた回動アーム上に取り付けられて前記駆動ギヤに対して接離可能に設けられ、
前記従動ギヤが前記駆動ギヤに接近して前記ロッドを挟圧した位置で前記従動ギヤの移動をロックするロック機構が設けられ、
該ロック機構が、
前記基台に設けられた支持軸を中心に回転可能に設けられ、前記回動アームを押圧する偏心カム面を有する偏心カムと、
該偏心カムを前記支持軸を中心として回転させるハンドルと、
前記偏心カム面による前記回動アームの前記駆動ギヤ方向への最大押圧位置を超えた前記従動ギヤのロック位置で前記ハンドルが当接するストッパーとを具備するテコ機構からなり、
別途地盤調査用のロッドを地盤に貫入させる際に、前記駆動ギヤおよび前記従動ギヤが該ロッド外壁に食い込みやすくすべく、前記ロック機構によって、前記従動ギヤの移動がロックされた位置において、前記回動アームの回動軸と前記従動ギヤの回転軸とを結ぶ前記回動アームの軸線の方向が、前記駆動ギヤ方向に傾くように設定されていることを特徴とする地盤調査用ロッドの地盤からの自動引抜き・貫入装置。
【請求項２】
前記ロッドの移動をガイドするガイド部材を具備することを特徴とする請求項１記載の地盤調査用ロッドの地盤からの自動引抜き装置。
【手続補正３】
【補正対象書類名】明細書
【補正対象項目名】０００１
【補正方法】変更
【補正の内容】
【０００１】
本発明は地盤調査用ロッドの地盤からの自動引抜き・貫入装置に関する。
【手続補正４】
【補正対象書類名】明細書
【補正対象項目名】０００６
【補正方法】変更
【補正の内容】
【０００６】
本発明は上記課題を解決すべくなされたものであり、その目的とするところは、小型化、簡易化でき、またスウェーデン式サウンディング試験装置とは切り離して用いることができ、他の試験方法に転用できる地盤調査用ロッドの地盤からの自動引抜き・貫入装置を提供することにある。
【手続補正５】
【補正対象書類名】明細書
【補正対象項目名】０００７
【補正方法】変更
【補正の内容】
【０００７】
上記目的を達成するため、本発明は次の構成を備える。
すなわち、本発明に係る地盤調査用ロッドの地盤からの自動引抜き・貫入装置は、基台と、該基台に回転自在に設けられた駆動ギヤと、該駆動ギヤを正転方向および逆転方向に回転可能な駆動モータと、前記駆動ギヤに対して接離可能に設けられ、接近した際に駆動ギヤとの間で、地盤調査に用いられ地盤に貫入されたロッドを挟圧し、前記ロッド外壁に食い込んで前記ロッドを地盤から引抜き可能な従動ギヤとを具備する地盤調査用ロッドの地盤からの自動引抜き・貫入装置であって、前記従動ギヤが、前記基台に回動軸を中心に回動自在に設けられた回動アーム上に取り付けられて前記駆動ギヤに対して接離可能に設けられ、前記従動ギヤが前記駆動ギヤに接近して前記ロッドを挟圧した位置で前記従動ギヤの移動をロックするロック機構が設けられ、該ロック機構が、前記基台に設けられた支持軸を中心に回転可能に設けられ、前記回動アームを押圧する偏心カム面を有する偏心カムと、該偏心カムを前記支持軸を中心として回転させるハンドルと、前記偏心カム面による前記回動アームの前記駆動ギヤ方向への最大押圧位置を超えた前記従動ギヤのロック位置で前記ハンドルが当接するストッパーとを具備するテコ機構からなり、別途地盤調査用のロッドを地盤に貫入させる際に、前記駆動ギヤおよび前記従動ギヤが該ロッド外壁に食い込みやすくすべく、前記ロック機構によって、前記従動ギヤの移動がロックされた位置において、前記回動アームの回動軸と前記従動ギヤの回転軸とを結ぶ前記回動アームの軸線の方向が、前記駆動ギヤ方向に傾くように設定されていることを特徴とする。
【手続補正６】
【補正対象書類名】明細書
【補正対象項目名】０００８
【補正方法】変更
【補正の内容】
【０００８】
前記ロッドの移動をガイドするガイド部材を設けると好適である。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】変更
【補正の内容】
【００１０】
本発明によれば、小型化、簡易化でき、またスウェーデン式サウンディング試験装置とは切り離して用いることができ、他の試験方法に転用できる地盤調査用ロッドの地盤からの自動引抜き・貫入装置を提供できる。また、駆動ギヤおよび従動ギヤのギヤがロッドの側面に食い込みつつ回転することから、ロッドを確実に上方に引き抜くことができる。さらに、ロッド引抜き穴を利用して、他の地盤調査用のロッドを引抜き穴に貫入する場合には、ロック位置において、回動アームの軸線の方向（回動軸と回転軸を結ぶ線の方向）が、若干駆動ギヤ方向に傾くように設定してあるので、ロッドの貫入時、ギヤがロッド外壁により食い込みやすくなり、スムーズにロッドの貫入が可能である。
【手続補正書】
【提出日】平成24年6月26日(2012.6.26)
【手続補正１】
【補正対象書類名】特許請求の範囲
【補正対象項目名】全文
【補正方法】変更
【補正の内容】
【特許請求の範囲】
【請求項１】
基台と、
該基台に回転自在に設けられた駆動ギヤと、
該駆動ギヤを正転方向および逆転方向に回転可能な駆動モータと、
前記駆動ギヤに対して接離可能に設けられ、接近した際に駆動ギヤとの間で、地盤調査に用いられ地盤に貫入されたロッドを挟圧し、前記ロッド外壁に食い込んで前記ロッドを地盤から引抜き可能な従動ギヤとを具備する地盤調査用ロッドの地盤からの自動引抜き・貫入装置であって、
前記従動ギヤが、前記基台に回動軸を中心に回動自在に設けられた回動アーム上に取り付けられて前記駆動ギヤに対して接離可能に設けられ、
前記従動ギヤが前記駆動ギヤに接近して前記ロッドを挟圧した位置で前記従動ギヤの移動をロックするロック機構が設けられ、
該ロック機構が、
前記基台に設けられた支持軸を中心に回転可能に設けられ、前記回動アームを押圧する偏心カム面を有する偏心カムと、
該偏心カムを前記支持軸を中心として回転させるハンドルと、
前記偏心カム面による前記回動アームの前記駆動ギヤ方向への最大押圧位置を超えた前記従動ギヤのロック位置で前記ハンドルが当接するストッパーとを具備するテコ機構からなり、
別途地盤調査用のロッドを地盤に貫入させる際に、前記駆動ギヤおよび前記従動ギヤが該ロッド外壁に食い込みやすくすべく、前記ロック機構によって、前記従動ギヤの移動がロックされた位置において、前記回動アームの回動軸と前記従動ギヤの回転軸とを結ぶ前記回動アームの軸線の方向が、前記駆動ギヤ方向に傾くように設定されていることを特徴とする地盤調査用ロッドの地盤からの自動引抜き・貫入装置。
【請求項２】
前記ロッドの移動をガイドするガイド部材を具備することを特徴とする請求項１記載の地盤調査用ロッドの地盤からの自動引抜き・貫入装置。